(57)【特許請求の範囲】
【請求項１】
ハチの巣構造（３）を有し且つ外側に二つの大きな表面（４）を提供し、前記大きな表面（４）が各々カバー（５）を備えるベース本体（２）、
前記ベース本体（２）の前記ハチの巣構造（３）に埋め込まれ且つこのハチの巣構造（３）を貫通するパイプ調節装置（６）、および，
前記パイプ調節装置（６）を加熱媒体供給及び／又は戻しラインに接続する油圧ユニット（２４）並びに壁取付け用保持ユニット（１６）を有する接続デバイス（１２）を備える加熱室やその部品用のラジエータであって、
前記ベース本体（２）の前記ハチの巣構造（３）によって提供されるキャビティ（２５）が少なくとも部分的に膨張黒鉛によって充填され，
前記保持ユニット（１６）が互いに対して旋回可能なハウジング（１７）及びキャリア要素（２０）を備え、
前記ハウジング（１７）が壁に取り付けられ、前記キャリア要素（２０）が前記ハウジング（１７）に対して旋回することで、前記ラジエータが壁に対して旋回可能となり、
前記保持ユニット（１６）の一部である前記接続デバイス（１２）の前記ハウジング（１７）は上側に接続表面（１８）を備え、
前記接続表面（１８）が前記ベース本体（２）の前記大きな表面（４）に対して４０°で配置されることを特徴とするラジエータ。
【請求項２】
前記ベース本体（２）が金属又はアルミニウムによって形成されることを特徴とする請求項１に記載のラジエータ。
【請求項３】
前記カバー（５）が金属又はプラスチックによって形成されることを特徴とする請求項１又は２に記載のラジエータ。
【請求項４】
前記カバー（５）が前記ベース本体（２）に接着されることを特徴とする請求項１乃至３のいずれか一項に記載のラジエータ。
【請求項５】
油圧ユニット（２４）が、前記パイプ調節装置（６）を加熱媒体供給ラインに接続し，かつ，前記パイプ調節装置を加熱媒体戻しラインに接続するための接続パイプ（１５）を備えることを特徴とする請求項１乃至４のいずれか一項に記載のラジエータ。
【請求項６】
前記接続パイプ（１５）がフレキシブルなホースラインであることを特徴とする請求項５に記載のラジエータ。
【請求項７】
前記ベース本体（２）が前記２つのカバー（５）の間に配置されるフレーム（７）によって囲まれることを特徴とする請求項１乃至６のいずれか一項に記載のラジエータ。
【請求項８】
前記ハウジング（１７）の外側面（１９）が前記ベース本体（２）の前記大きな表面（４）に対して６５°の角度で配置されることを特徴とする請求項１乃至７のいずれか一項に記載のラジエータ。
【発明の詳細な説明】
【技術分野】
【０００１】
本発明は、加熱室やその部品用ラジエータに関する。
【背景技術】
【０００２】
加熱室やその部品用のラジエータの多様な設計が従来の技術から知られている。従って、ここでは従来の文献を特に参照する必要はない。
【発明の概要】
【発明が解決しようとする課題】
【０００３】
単純化された取扱い及び／又は単純化された製造及び／又は単純化された取付けを可能とする新たなラジエータの構成を提案することは常に試みられている。従って、本発明の目的は、特に取扱い、製造及び／又は取付けに関して従来の技術に比較して改良された新たなラジエータを提供することである。
【課題を解決するための手段】
【０００４】
この目的を達成するために、本発明は、加熱室やその部品用ラジエータであって、ハチの巣構造を有し外側に各々カバーを備える２つの大きな表面を提供するベース本体、前記ベース本体の前記ハチの巣構造内に埋め込まれハチの巣構造を貫通するパイプ調節装置、並びに前記パイプ調節装置を熱媒体供給及び／又は戻しラインへ接続するための油圧ユニット並びに壁取付け用保持ユニットを備える接続デバイスを備えるラジエータを提案する。
【０００５】
本発明のラジエータは、ベース本体を備える。このベース本体の幾何学的寸法は、例えば、立方体の幾何学的寸法に対応し、ベース本体は、二つの大きな表面を有し、厚み方向においては比較的小さい。ベース本体は、ハチの巣構造を持っている。パイプ調節装置は、このハチの巣構造に埋め込まれてその構造を貫通する。ベース本体の外側の大きな表面は、各々カバーを備えている。
【０００６】
本発明のラジエータの上述の構成設計によると、小さな重量で高い剛性を有するため優れている。これは、ベース本体のハチの巣形状構造とベース本体の大きな表面に配置されるカバーとの組み合わせによって得られる。
【０００７】
意図通りに使用されると、熱は、ラジエータからラジエータを囲む空気へ、ベース本体の大きな表面を介して又はベース本体の大きな表面によって保持されるカバーを介して伝達される。その点で、本発明の構成によって、比較的小さな寸法を有し、同時に高い特定の出力を有するラジエータを設計することが可能となる。このようにして、ラジエータの設置場所において必要となる設置空間を最小限に減少できる。
【０００８】
ベース本体のハチの巣形状構造により、従来のラジエータに比較して、ラジエータのパイプ調節装置を通って流れる加熱媒体からベース本体、最終的にはラジエータを囲む空気へ、より良好な熱伝達が達成される。熱出力が従来のラジエータの熱出力と同じままでありながら、より小さな幾何学的寸法を有するパイプ調節装置を使用することが可能となるので、意図されたように使用されると、循環する加熱媒体の量が減少され、より素早い負荷反転での動的制御動作を可能とする利点がある。
【０００９】
更に、ラジエータの寸法の大部分を自由に形成できることも、本発明の設計の利点である。立方体形状のベース本体の代わりに、他の幾何学設計、例えば、円形や楕円形状が選択されることができる。多角形設計も選択されることができる。その点で、本発明の構成は、従来の技術に比較して、より多くの成形オプションを提供する。
【００１０】
ベース本体の大きな表面に固定されるカバーの材料については、自由に選択することができる。しかしながら、例えば金属のような良好な熱伝導率を示すような材料が好適である。しかしながら、特に光学的な理由のために、例えば、プラスチックのような他の材料や例えば石やマーブル（大理石）のような自然物が選択されてもよい。その点で、本発明の構成によって、ラジエータ設計に関してより自由度が増す。
【００１１】
本発明の構成の他の利点は、製造で必要なエネルギー量を減少できる点である。この理由は、特に溶接のような接合プロセスで消費するエネルギーの大部分を省くことができるからである。
【００１２】
壁取付け並びに油圧接続のために設けられる接続デバイスは、ラジエータの背後に配置されると接続デバイスを隠すことができ、より好適である。
【００１３】
本発明の他の特徴によれば、ベース本体は金属でできている。例えば、アルミニウムのような軽い金属が使用されるのが好適である。従って、ラジエータの全重量は、最小に保たれることができる。
【００１４】
本発明の他の特徴によれば、ベース本体のハチの巣形状構造によって設けられるキャビティが少なくとも部分的に熱力学活性材料によって充填される。この材料は、例えば、膨張黒鉛であってもよい。このように、パイプ調節装置を流れる加熱媒体とベース本体との間のより高い熱伝達が達成される。従って、意図された使用の間に生じる熱損失を最小にすることができる。
【００１５】
また、熱力学活性材料は、水ガラスや水ガラスを含む材料の混合物であってもよい。しかしながら、例えば特に金属のような良好な熱伝導率を有する材料に富むベース材料として水ガラスを含む水ガラスベースの材料組成を用いることが好適である。キャリア材料として水ガラスに埋め込まれる金属充填材や粒子は特にその富化に役立つ。銅、アルミニウムやその合金は、特に良好な熱導電率を有する材料として使用されることができる。例えば、リンのような他のキャリア材料がキャリア材料として使用されてもよい。ここで、キャリア材料は、基本的には、キャリア材料によって受容される金属粒子同士間の化学的結合を形成するのに役立つ。
【００１６】
本発明の他の特徴によれば、ベース本体の大きな表面に配置されるカバーは、主に任意に選択された材料で作ることができる。材料の組合せもまた可能である。しかしながら、金属やプラスチック製のカバーが好適である。
【００１７】
本発明の他の特徴によれば、カバーは、ベース本体に接着される。これは、特に製造の観点から好ましい。
【００１８】
本発明の他の特徴によれば、接続デバイスは、ハウジングを備える。最終的に取り付けられた状態において、接続デバイスの個々のコンポーネントは、このハウジングによって受容される。その点、コンパクトで表面を時々清掃することによって簡単に清潔に保つことができるカプセル化設計が提供される。
【００１９】
接続デバイスは保持ユニットを備える。この保持ユニットは、それによってラジエータがスイベル（回り継手）を介して取付け可能になるように設計されることが好ましい。このために、保持ユニットは、互いに旋回可能な二つのセクションを備える。ここで、これら二つのセクションの一方は、接続デバイスのハウジングによって形成されることができる。このハウジングは壁に取り付けられる。保持ユニットの他方のセクションは、例えば、キャリア要素の形態のラジエータに対応するベアリングとして設計される。このキャリア要素は、保持ユニットのハウジングにスイベルを介して取付けられ、それによって、保持ユニットの組立状態において、ラジエータがラジエータを保持する部分の壁に対して旋回可能となる。ラジエータにおけるこのスイベルの取付けは、ラジエータが旋回される場合における接続デバイスの油圧ユニットへのアクセスが容易になるので、取付けや取り外しの観点から特に好適である。
【００２０】
油圧ユニットは、一方では、パイプ調節装置を加熱媒体供給ラインへ接続するため、他方では、パイプ調節装置を加熱媒体戻しラインへ接続するための接続パイプを提供する。
【００２１】
パイプ調節装置は、加熱媒体のために、一方では、供給接続部を、他方では戻し接続部を備える。意図された通りに使用される場合、加熱媒体は、供給接続部を通ってパイプ調節装置内に流れ、このパイプ調節装置を通過して、戻しパイプを通ってそこから出ていく。設置場所に関していうと、加熱媒体供給ライン並びに加熱媒体戻しラインは、壁に設けられる。ここで、加熱媒体供給ラインは、パイプ調節装置の供給接続部へ接続されなければならず、加熱媒体戻りラインは、パイプ調節装置の戻し接続部へ接続されなければならない。油圧ユニットによって提供される接続パイプは、これらの接続部のために設けられる。接続パイプは、設置場所に設けられるラインを有するパイプ調節装置の流体継手の役目を果たす。ラジエータが旋回されると、前述のように、これらの接続パイプや、構造側の一部に設置される供給ライン及び戻しラインへのアクセスを単純にすることができ、それによって、本発明のラジエータの取付けや取り外しが容易になる。
【００２２】
本発明の他の特徴によれば、更に、油圧ユニットによって提供される接続パイプがフレキシブルなホースラインであってもよい。これによって、取付けや取り外しが単純化される。更に、フレキシブルなホースラインによって、ラジエータの位置決めに関してラジエータのよりフレキシブルな壁取付けが可能となる。
【００２３】
本発明の上述のラジエータは、加熱室やその部品に役立ち好ましい。熱力学の観点から、勿論、その使用が逆にされてもよい、例えば、ラジエータがヒータとして使用されるのではなくてヒートシンク（放熱器）として使用される。この場合、ベース本体によって受容されるパイプ調節装置は、冷媒の循環に役立つ。しかしながら、本発明の構造と構成は、そのよう場合に影響を受けない。
【００２４】
本発明の他の特徴と利点は、図面の以下の記述から明白となる。
【図面の簡単な説明】
【００２５】
【図１】本発明のラジエータの第１の実施形態の前方からの概略的な部分平面図である。
【図２】図１の視線ＩＩからみた図１のラジエータを示す。
【図３】図１の視線ＩＩＩからみた図１のラジエータの概略図である。
【図４】図３の切り出しＩＶについての図１のラジエータの切出し図である。
【図５】図２の切り出しＶについての図１のラジエータの切出し図である。
【図６】本発明のラジエータの第２の実施形態の概略的な斜視背面図である。
【図７】図６のラジエータの概略的な正面図である。
【図８】図７の視線ＸＩＩＩからみた図６のラジエータの概略的な側面図である。
【図９】図８の視線ＩＸからみた図６のラジエータの概略的な平面図である。
【発明を実施するための形態】
【００２６】
本発明のラジエータ１は、ハチの巣形状構造３を有し、好ましくはアルミニウムで製造されるベース本体２を備える。ベース本体２のハチの巣形状構造３は、特に図１の表示にみられる。
【００２７】
ベース本体２は、二つの大きな表面４を有し、それらの内の一方は、図１の表示にみられる。二つの大きな表面４は、各々が特に図２の表示に見られるように、カバー５を備える。このカバー５は、例えば、アルミニウム製の金属シートであってもよい。ここで、カバー５の表面とベース本体２とは、互いに接着されることが好ましい。
【００２８】
図１乃至図５に示されている本発明のラジエータの実施形態によると、ベース本体２を受容するフレーム７が設けられ、また、そのフレームは２つのカバー５の間に配置され、全周に亘る平らなクロージング（閉鎖部）を形成する。図６乃至図９の実施形態は、そのようなフレーム７を備えていない。
【００２９】
更に、ラジエータ１は、意図通りに使用されると、例えば水の形態である加熱媒体の通過する流れに役立つパイプ調節装置６を備える。このパイプ調節装置６は、ベース本体２のハチの巣形状構造３に埋め込まれてそれを貫通している。
【００３０】
本発明の好適な実施形態によると、ベース本体２のハチの巣形状構造３によって提供されるキャビティ２５は、少なくとも部分的に熱力学活性材料で充填されている。この材料は、例えば膨張黒鉛であってもよい。熱力学活性材料によるキャビティ２５の充填により、パイプ調節装置を通って流れる加熱媒体からベース本体２へのより良好な熱伝達が達成される。
【００３１】
接続側において、パイプ調節装置６は、供給接続部８並びに戻し接続部９を備える。意図通りに使用されると、加熱媒体は、矢印１０の方向で供給接続部８を通ってパイプ調節装置６内に流れ、そのパイプ調節装置を通過して、矢印１１の方向に戻し接続部９を通って出ていく。
【００３２】
更に、ラジエータ１は、接続デバイス１２を備える。より明瞭にするために、この接続デバイス１２は、図６乃至図９の例示的な実施形態によってのみ表されている。
【００３３】
接続デバイス１２は、ラジエータ１を壁に留めるのに役立つ。このために、接続デバイス１２は、保持ユニット１６を備える。この保持ユニットは、２つのセクションに分割され、一方ではハウジング１７を備え、他方ではキャリア要素２０を備える。これら２つのセクション、即ちハウジング１７とキャリア要素２０は、旋回するように互いに接続される。従って、最終的に取付けられた状態において、ラジエータ１を保持する構造物の壁に対してラジエータ１を旋回させることができる。
【００３４】
最終的に取付けられた状態において、保持ユニット１６のハウジング１７は、壁に取り付けられる。キャリア要素２０は、ラジエータ上に形成される。ハウジング１７は、キャリア要素２０を受容し、そこでは、ハウジング１７に対してキャリア要素２０を旋回することができる。従って、ラジエータ１がスイベル軸２１の周りをハウジング１７に対して旋回することを可能とすることができる。
【００３５】
更に、接続デバイス１２は、油圧ユニット２４を備える。この油圧ユニットは、壁に設けられるが図面には表されていない加熱媒体供給及び戻しラインとパイプ調節装置６の供給接続部８及び戻し接続部９との流体接続に役立つ。このために、油圧ユニット２４は、フレキシブルなホースラインとして設計されるのが好ましい接続パイプ１５を備える。
【００３６】
接続デバイス１２は、ユーザが加熱温度を設定できるように制御バルブ１３を備える。この制御バルブ１３は、特に図７の表示にみられるように、ユーザがラジエータ１の正面から容易に達することができる制御ホイール１４によって設定されてもよい。
【００３７】
また保持ユニット１６の一部である接続デバイス１２のハウジング１７は、上側に接続表面１８を備え、この接続表面１８は、ベース本体２の大きな表面４に対して角度αで配置されている。この角度αは、４０°であることが好ましい（図８）。
【００３８】
ハウジング１７の外側面１９は、特に図９の表示にみられるように、ベース本体２の大きな表面４に対して６５°の角度βで配置される。
【００３９】
接続表面１８及び外側面１９の角度の付いた配向によって、接続デバイス１２全体を一体的にコンパクトに形成することができる。更に、例えば、埃の堆積等あらゆる生じ得る汚れを容易に除去することができ、これによって、ラジエータ１全体の清掃を容易にすることができる。
【００４０】
部屋の壁へラジエータ１を安定的に固定するために、接続デバイス１２に対向して配置されるラジエータ１の端部は、スペーサ２２を備えることができる。また、最終的に取付けられる状態において、このスペーサは、壁に取り付けられることが好ましく、それによって、この点でも、ラジエータ１の壁固定を得ることができる。
【００４１】
本発明の構成によって、ラジエータ１に関して異なる幾何学的設計が可能となる。図１乃至図５の例示的な実施形態は、矩形の設計を示している。図６乃至図９の実施形態は、主として矩形設計でもあるが、図１乃至図５の実施形態に比べて、一方では丸い端部を有し、他方では冠状の側方外縁となっている。更に、図６乃至図９の実施形態は、ブレークスルー（貫通）２３の形状の開口を備える。
【符号の説明】
【００４２】
１     ラジエータ
２     ベース本体
３     ハチの巣形状構造
４     大きな表面
５     カバー
６     パイプ調節装置
７     フレーム
８     供給接続部
９     戻し接続部
１０   矢印
１１   矢印
１２   接続デバイス
１３   制御バルブ
１４   制御ホイール
１５   接続パイプ
１６   保持ユニット
１７   ハウジング
１８   接続表面
１９   外側面
２０   キャリア要素
２１   スイベル軸
２２   スペーサ
２３   ブレークスルー
２４   油圧ユニット
２５   キャビティ
α     角度
β     角度
【図１】
0006027144.tif 000002
【図２】
0006027144.tif 000003
【図３】
0006027144.tif 000004
【図４】
0006027144.tif 000005
【図５】
0006027144.tif 000006
【図６】
0006027144.tif 000007
【図７】
0006027144.tif 000008
【図８】
0006027144.tif 000009
【図９】
0006027144.tif 000010